(57)【特許請求の範囲】
【請求項１】
複数の放射線検出器モジュールをチャンネル方向及びスライス方向に沿って複数配置した検出器ブロックと、
前記検出器ブロックの各放射線検出器モジュールからの信号を取り出すため、前記スライス方向に沿って設けられた複数のケーブルと、
前記複数のケーブルに対応して前記スライス方向の離間した位置にそれぞれ設けられた複数のコネクタと、
前記検出器ブロックの各放射線検出器モジュールのうち、前記スライス方向に隣接する２つの放射線検出器モジュールに対して共有の回路基板を前記２つの放射線検出器モジュールの検出面に対して垂直に配置し、前記２つの放射線検出器モジュールからの信号を前記離間した複数のコネクタを介して前記回路基板で受信するように前記チャンネル方向に配列した回路基板列と、
を備えたことを特徴とする放射線検出器。
【請求項２】
前記検出器ブロックは、前記スライス方向に少なくとも２列に並べて配置した複数の放射線検出器モジュールを含み、
前記複数のコネクタは、前記スライス方向の離間した位置にそれぞれ設けられた２つのコネクタを有することを特徴とする請求項１記載の放射線検出器。
【請求項３】
前記複数のコネクタのいずれか１つは、前記スライス方向における前記回路基板の挿入方向奥側に設けられ、且つ、前記回路基板を前記検出器ブロックに対して垂直方向に近接・離間させることにより着脱する向きに取り付けられていることを特徴とする請求項２記載の放射線検出器。
【請求項４】
複数の放射線検出器モジュールをチャンネル方向及びスライス方向に沿って複数配置した検出器ブロックと、
前記検出器ブロックの各放射線検出器モジュールからの信号を取り出すため、前記スライス方向に沿って設けられた複数のケーブルと、
前記複数のケーブルに対応して前記スライス方向の離間した位置にそれぞれ設けられた複数のコネクタと、
前記検出器ブロックの各放射線検出器モジュールのうち、前記スライス方向に隣接する２つの放射線検出器モジュールに接続し、前記２つの放射線検出器モジュールからの信号を前記スライス方向に離間した２つのコネクタを介して受信する回路基板を前記チャンネル方向に複数配列した回路基板列と、
を備えたことを特徴とする放射線検出器。
【請求項５】
前記検出器ブロックは、前記スライス方向に少なくとも２列に並べて配置した複数の放射線検出器モジュールを含み、
前記複数のコネクタは、前記スライス方向の離間した位置にそれぞれ設けられた２つのコネクタを有することを特徴とする請求項４記載の放射線検出器。
【請求項６】
放射線源からの放射線を検知して電気信号を生成する放射線検出器であって、
複数の放射線検出素子アレイを含む検出器モジュールを、チャンネル方向に複数個、スライス方向に２列に並べて収納部に配置した多列モジュールと、
前記各検出器モジュールからの電気信号を処理するため、前記スライス方向に延び前記多列モジュールのスライス方向に隣接する一対の検出器モジュールに対して共有の回路基板を前記一対の検出器モジュールの検出面に対してそれぞれ１枚ずつ垂直に配置し、かつ前記チャンネル方向に配列した回路基板列と、
前記スライス方向に隣接する一対の検出器モジュールとそれに対応する前記回路基板間にそれぞれ設けられ、前記スライス方向の奥側に位置する検出器モジュールと前記回路基板間を前記検出器モジュールの検出面に直交する第１の方向から電気的に結合する第１のコネクタ群と、前記スライス方向の手前側に位置する検出器モジュールと前記回路基板間を電気的に結合する第２のコネクタ群とを含む結合装置と、を具備したことを特徴とする放射線検出器。
【請求項７】
前記第１のコネクタ群は、前記奥側に位置する検出器モジュールから延出したフレキシブルフラットケーブルに結合した第１のコネクタと、前記回路基板の前記検出器モジュール側の端縁に設けた第２のコネクタでなることを特徴とする請求項６記載の放射線検出器。
【請求項８】
前記第２のコネクタ群は、前記手前側に位置する検出器モジュールから延出したフレキシブルフラットケーブルに結合した第３のコネクタと、前記回路基板の基板面に設けられた第４のコネクタでなり、前記第３のコネクタを前記第１の方向と異なる第２の方向から前記第４のコネクタに結合することを特徴とする請求項６記載の放射線検出器。
【請求項９】
前記回路基板列は、前記スライス方向に隣接する一対の検出器モジュールからの電気信号をそれぞれ増幅処理するアンプ基板であることを特徴とする請求項６記載の放射線検出器。
【請求項１０】
被検体にＸ線ビームを照射するＸ線管と、前記被検体を透過したＸ線を検出して電気信号に変換する放射線検出器とを含むＸ線ＣＴ装置であって、
前記放射線検出器として請求項１乃至９のいずれかに記載の放射線検出器を前記Ｘ線管と対向して円弧状に配置したことを特徴とするＸ線ＣＴ装置。
【発明の詳細な説明】
【技術分野】
【０００１】
本発明は、放射線検出器及びそれを用いたＸ線ＣＴ装置（Ｘ線コンピュータトモグラフィ装置）に関するものである。
【背景技術】
【０００２】
従来、Ｘ線ＣＴ装置は、Ｘ線管と放射線検出器を有し、Ｘ線管で発生したＸ線を被検体に照射し、被検体を透過したＸ線を放射線検出器に入射するようにしている。
【０００３】
放射線検出器は、体軸方向と直交するチャンネル方向に略円弧状に配列した複数の検出器モジュールから構成され、１つの検出器モジュールは、入射した放射線（Ｘ線）を光に変換するシンチレータアレイと、変換された光を電気信号に変換するフォトダイオードアレイを有している。それぞれの検出器モジュールからの電気信号は、増幅器で増幅され、ＤＡＳ（Data Acquisition System）ユニットでデジタル信号に変換される。
【０００４】
また、それぞれの検出器モジュールからの電気信号は、フレキシブルケーブルによって増幅器基板（以下、アンプ基板と称す）に導かれて増幅され、アンプ基板からＤＡＳユニットに供給されてデジタル信号に変換される。またフレキシブルケーブルとアンプ基板はコネクタによって接続するようにしている。
【０００５】
特許文献１には、放射線検出器の一例が記載されている。
【０００６】
一方、最近では放射線検出器を大型化したものもある。放射線検出器を大型化する場合、検出器モジュールを体軸方向（スライス方向）に２列設け、それをチャンネル方向に複数個配置するようにしている。
【０００７】
ところで、放射線検出器はＸ線ＣＴ装置の架台内に配置されるが、検出器モジュールをスライス方向に２列設けた場合、放射線検出器の奥行き寸法が増加することになる。このため、製造時やメンテナンス時には筐体の奥側にある検出器モジュールのコネクタの挿抜がしにくくなり、コネクタの接触不良を招いたり、コネクタの挿抜作業に時間がかかるという欠点がある。特に検出器モジュール及びアンプ基板の個数が多いと、より一層作業性が悪くなる。
【先行技術文献】
【特許文献】
【０００８】
【特許文献１】特開２００５−２８３４４１号公報
【発明の概要】
【発明が解決しようとする課題】
【０００９】
従来の放射線検出器では、検出器モジュールをスライス方向に２列設けた場合、放射線検出器の奥行き寸法が増加するため、製造時やメンテナンス時に筐体の奥側にある検出器モジュールのコネクタの挿抜がしにくく、コネクタの接触不良を招いたり、コネクタの挿抜作業に時間がかかるという欠点があった。
【００１０】
本発明は、上記事情に鑑みて成されたもので、検出器モジュールとアンプ基板の接続を容易にし、製造時やメンテナンス時の作業効率を向上した放射線検出器及びそれを用いたＸ線ＣＴ装置を提供することを目的とする。
【課題を解決するための手段】
【００１１】
請求項１記載の本発明の放射線検出器は、複数の放射線検出器モジュールをチャンネル方向及びスライス方向に沿って複数配置した検出器ブロックと、前記検出器ブロックの各放射線検出器モジュールからの信号を取り出すため、前記スライス方向に沿って設けられた複数のケーブルと、前記複数のケーブルに対応して前記スライス方向の離間した位置にそれぞれ設けられた複数のコネクタと、前記検出器ブロックの各放射線検出器モジュールのうち、前記スライス方向に隣接する２つの放射線検出器モジュールに対して共有の回路基板を前記２つの放射線検出器モジュールの検出面に対して垂直に配置し、前記２つの放射線検出器モジュールからの信号を前記離間した複数のコネクタを介して前記回路基板で受信するように前記チャンネル方向に配列した回路基板列と、を備えたことを特徴とする。
また請求項４記載の本発明の放射線検出器は、複数の放射線検出器モジュールをチャンネル方向及びスライス方向に沿って複数配置した検出器ブロックと、前記検出器ブロックの各放射線検出器モジュールからの信号を取り出すため、前記スライス方向に沿って設けられた複数のケーブルと、前記複数のケーブルに対応して前記スライス方向の離間した位置にそれぞれ設けられた複数のコネクタと、前記検出器ブロックの各放射線検出器モジュールのうち、前記スライス方向に隣接する２つの放射線検出器モジュールに接続し、前記２つの放射線検出器モジュールからの信号を前記スライス方向に離間した２つのコネクタを介して受信する回路基板を前記チャンネル方向に複数配列した回路基板列と、を備えたことを特徴とする。
【００１２】
また、請求項６記載の本発明は、放射線源からの放射線を検知して電気信号を生成する放射線検出器であって、複数の放射線検出素子アレイを含む検出器モジュールを、チャンネル方向に複数個、スライス方向に２列に並べて収納部に配置した多列モジュールと、前記各検出器モジュールからの電気信号を処理するため、前記スライス方向に延び前記多列モジュールのスライス方向に隣接する一対の検出器モジュールに対して共有の回路基板を前記一対の検出器モジュールの検出面に対してそれぞれ１枚ずつ垂直に配置し、かつ前記チャンネル方向に配列した回路基板列と、前記スライス方向に隣接する一対の検出器モジュールとそれに対応する前記回路基板間にそれぞれ設けられ、前記スライス方向の奥側に位置する検出器モジュールと前記回路基板間を前記検出器モジュールの検出面に直交する第１の方向から電気的に結合する第１のコネクタ群と、前記スライス方向の手前側に位置する検出器モジュールと前記回路基板間を電気的に結合する第２のコネクタ群とを含む結合装置と、を備えたことを特徴とする。
【００１３】
さらに、請求項１０の本発明のＸ線ＣＴ装置は、被検体にＸ線ビームを照射するＸ線管と、前記被検体を透過したＸ線を検出して電気信号に変換する放射線検出器とを含むＸ線ＣＴ装置であって、前記放射線検出器として請求項１乃至９のいずれかに記載の放射線検出器を前記Ｘ線管と対向して円弧状に配置したことを特徴とする。
【発明の効果】
【００１５】
本発明の実施形態によれば、２つの検出器モジュールに対して１つのアンプ基板を共有化し、２つの検出器モジュールのコネクタの接続を簡略化し、接触不良を低減することができる。
【図面の簡単な説明】
【００１６】
【図１】本発明に係るＸ線ＣＴ装置の一実施の形態を示すブロック図。
【図２】本発明に係るＸ線ＣＴ装置及び放射線検出器の概略的構成を示す斜視図。
【図３】本発明に係る放射線検出器の全体的な構成を示す正面図。
【図４】本発明に係る放射線検出器の要部の構成を概略的に示す斜視図。
【図５】本発明に係る放射線検出器の要部の具体的な構成を示す斜視図。
【図６】本発明に係る放射線検出器の取付け時の動作を説明する正面図及び側面図。
【発明を実施するための最良の形態】
【００１７】
以下、この発明の一実施の形態について図面を参照して詳細に説明する。
【実施例】
【００１８】
図１は、本発明のＸ線ＣＴ装置の一実施形態を示す全体構成図である。図１において、１０は医用診断に用いるＸ線ＣＴ装置を示している。Ｘ線ＣＴ装置１０は、架台（ガントリ）１１を有し、この架台１１内には回転リング１２が設けられ、図示しない回転機構によって回転する。回転リング１２内には、有効視野領域内に載置された被検体Ｐに対してＸ線を発生するＸ線管１３が取り付けられている。
【００１９】
また、Ｘ線管１３に対向して放射線検出器１４が配置されており、回転リング１２の中心部分は開口して、そこに寝台の天板１５に載置された被検体Ｐが挿入される。被検体Ｐを透過したＸ線は放射線検出器１４で検出されて電気信号に変換され、データ収集部（以下ＤＡＳと称す）１６で増幅され、デジタルデータに変換される。
【００２０】
放射線検出器１４は、複数の検出器モジュールから構成されている。検出器モジュールは、それぞれシンチレータアレイ、フォトダイオードアレイから成る複数の検出素子アレイを含み、複数の検出器モジュールは、チャンネル方向Ｃとスライス方向Ｓの２方向にマトリクス状に配列されている。尚、複数の検出器モジュールは、Ｘ線管１３の焦点を中心とした円弧に沿って配列される（詳しくは後述する）。
【００２１】
ＤＡＳ１６からのデジタルデータ（投影データ）は、非接触データ伝送装置１７を介してコンピュータシステム２０に伝送される。また、架台１１には、架台駆動部１８及びスリップリング１９が設けられている。
【００２２】
コンピュータシステム２０はコンソールに設けられ、非接触データ伝送装置１７からの投影データは、前処理部２１に供給される。前処理部２１では投影データに対してデータ補正等の前処理を行いバスライン２０１上に出力する。
【００２３】
バスライン２０１には、システム制御部２２、入力部２３、データ記憶部２４、再構成処理部２５、画像データ処理部２６、表示部２７等が接続されている。
【００２４】
システム制御部２２はホストコントローラとして機能し、コンピュータシステム２０の各部の動作や、架台駆動部１８及び高電圧発生部２８を制御する。データ記憶部２４は断層画像等のデータを記憶するものであり、再構成処理部２５は投影データから３Ｄ画像データを再構成する。画像データ処理部２６はデータ記憶部２４に保存されたデータ、または再構成したあとの画像データを処理する。表示部２７は画像データ処理によって得られた画像等を表示する。
【００２５】
入力部２３はキーボード、マウス等を有し、ユーザ（医師、オペレータ等）によって操作され、データ処理する上で各種の設定を行う。また、患者の状態や検査方法等の各種情報を入力するものである。
【００２６】
高電圧発生部２８は、スリップリング１９を介してＸ線管１３に電力を供給し、Ｘ線の曝射に必要な電力（管電圧、管電流）を与えるものである。Ｘ線管１３は、被検体Ｐの体軸方向に平行なスライス方向Ｓと、それに直交するチャンネル方向Ｃの２方向に広がるビームＸ線を発生する。
【００２７】
図２は、本発明のＸ線ＣＴ装置１０の外観を示す図であり、細い線は架台１１を示し、太線はＸ線管１３と放射線検出器１４を示している。
【００２８】
架台１１は開口部１１１を有し、Ｘ線管１３と放射線検出器１４は、開口部１１１を挟むようにして架台１１内に対向して配置されている。放射線検出器１４は、スライス方向Ｓに２列、チャンネル方向Ｃに複数（ｎ個）の検出器モジュールを配置して成り、架台１１の筐体前面部１１２から見たとき、円弧状をなしている。開口部１１１には、寝台２９の天板１５を出し入れ可能である。
【００２９】
放射線検出器１４は、チャンネル方向Ｃに複数個（ｎ個）、スライス方向Ｓに２列の検出器モジュールからなる多列モジュール（検出器ブロック）で構成され、前面部１１２から見て手前側の検出器モジュールには符号ａを付し、奥側の検出器モジュールには符号ｂを付す。
【００３０】
図３は、放射線検出器１４の全体的な構造を示したものであり、スライス方向Ｓに隣り合う２つの検出器モジュール１４１ａ，１４１ｂに対して１枚のアンプ基板３１が直交配置されており、チャンネル方向Ｃ全体で見るとｎ枚のアンプ基板３１が配置されている。
【００３１】
複数の検出器モジュール１４１〜１４ｎとアンプ基板３１…は箱形の収納部３０に収納され、Ｘ線管１３と対向する収納部３０の上段部に検出器モジュール１４１〜１４ｎを取り付け、収納部３０の下段部にアンプ基板３１…をそれぞれ取り付け、アンプ基板３１は、架台１１の前面部１１２の筐体を外した状態で、収納部３０の奥行き方向にスライドして挿入することができる。
【００３２】
図４は、一対の検出器モジュール１４１ａ，１４１ｂと１枚のアンプ基板３１を代表にして、それらの接続関係を概略的に説明する図である。
【００３３】
検出器モジュール１４１ａ，１４１ｂのそれぞれの大きさは、チャンネル方向に例えば２４ｍｍ、スライス方向に例えば６０〜１２０ｍｍ程度である。検出器モジュール１４１ａ，１４１ｂからの電気信号はフレキシブルフラットケーブル３２ａ，３２ｂ（以下、単にケーブルと称す）を介してそれぞれコネクタ３３ａ，３３ｂに導かれ、コネクタ３３ａ，３３ｂはアンプ基板３１に設けたコネクタ３４ａ，３４ｂに結合可能である。（図３ではコネクタ３３ｂ，３４ｂのみを示し、コネクタ３３ａ，３４ａは省略している。）
尚、実際には検出器モジュール１４１ａ，１４１ｂとアンプ基板３１はチャンネル方向Ｃにｎ個あるので、コネクタ３３ａ，３３ｂからなるｎ個のコネクタ群と、コネクタ３４ａ，３４ｂからなるｎ個のコネクタ群が存在することになる。またケーブル３２ａ，３２ｂ、コネクタ３３ａ，３３ｂ及びコネクタ３４ａ，３４ｂは、検出器モジュール１４１ａ，１４１ｂとアンプ基板３１とを電気的に結合する結合装置を構成する。
【００３４】
手前側の検出器モジュール１４１ａとアンプ基板３１は、コネクタ３３ａと３４ａによって接続され、奥側の検出器モジュール１４１ｂとアンプ基板３１は、コネクタ３３ｂと３４ｂによって接続される。
【００３５】
奥側のコネクタ３４ｂはアンプ基板３１の上部に設けられ、アンプ基板３１を上下方向に移動することでコネクタ３３ａとコネクタ３４ｂは挿抜可能である。また、手前側のコネクタ３３ａはアンプ基板３１の基板面に設けたコネクタ３４ａに挿抜可能である。
【００３６】
図４のＸ方向はアンプ基板３１を上下する方向を示し、Ｙ方向はアンプ基板３１のスライド方向を示し、Ｚ方向はコネクタ３３ａの挿抜方向を示している。図４から分かるように、コネクタ３３ａとコネクタ３４ｂの挿抜方向と、コネクタ３３ａとコネクタ３４ａの挿抜方向は直交している。
【００３７】
検出器モジュール１４１ａ，１４１ｂ及びアンプ基板３１を収納部３０に取り付ける場合、図５で示すように上プレート３５と下プレート３６等が用いられる。
【００３８】
図５において、検出器モジュール１４１ａ，１４１ｂはＸ線の検出面が上を向くように上プレート３５に取り付けられ、検出器モジュール１４１ａ，１４１ｂからはケーブル３２ａ，３２ｂが下方向に延出している。
【００３９】
手前側のケーブル３２ａは下プレート３６を通して下方向に延び、コネクタ３３ａに接続している。奥側のケーブル３２ｂは下プレート３６を通って下プレートの底面に取り付けたコネクタ３３ｂ（図４参照）に接続している。上プレート３５及び下プレート３６は、図３の収納部３０の上段部に固定されており、収納部３０の下段部にアンプ基板３１をスライドして挿入するようにしている。
【００４０】
また、本発明の放射線検出器１４では、奥側のコネクタ３３ｂと３４ｂを結合する際の助長手段として、アンプ基板３１のスライドと昇降を行う治具４０（ガイド手段）を備えている。
【００４１】
図６は、治具４０の構成、及びアンプ基板３１を収納部３０に挿入し奥側のコネクタ３３ｂと３４ｂを接続する際の動作を示す説明図である。図６（ａ）は、挿入方向Ｙから見た正面図であり、（ｂ），（ｃ）は側面図である。
【００４２】
アンプ基板３１はその下端に取付基板４１が取り付けられ、取付基板４１にはアンプ基板３１の挿入方向（Ｙ）に対して傾斜したガイド溝４２が形成されている。ガイド溝４２は挿入方向（Ｙ）の奥に行くほど下方向に傾斜しており、このガイド溝４２には複数のピン部材４３が挿入されている。
【００４３】
ピン部材４３はガイド溝４２を貫通してスライダー４４に固定されており、ピン部材４３は、ガイド溝４２から抜け落ちるのを防止するため、先端頭部がガイド溝４２の溝幅よりも大きくなっている。
【００４４】
スライダー４４には、操作レバー４５が取り付けられており、この操作レバー４５を持ってスライダー４４をＹ方向にスライドすることができる。スライダー４４の下端は、収納部３０の下段部に形成したガイドレール３７，３８に沿ってＹ方向にスライド可能である。取付基板４１、スライダー４４、操作レバー４５は治具４０を構成する。
【００４５】
尚、アンプ基板３１には、検出器モジュール１４１ａ，１４１ｂからの電気信号を増幅するための回路が形成されているが、増幅した電気信号はＤＡＳユニット１６にケーブル（図示せず）等を介して供給される。或いはアンプ基板３１には、電気信号の増幅回路のほかに、増幅回路の出力をデジタル信号に変換するＡ／Ｄ変換器を備えるようにしても良い。
【００４６】
また、アンプ基板３１の奥側の上端部にはコネクタ３４ｂが取り付けられ、このコネクタ３４ｂと対向する下プレート３６にはコネクタ３３ｂが取り付けられている。また下プレート３６には、ガイドピン３６１が突出して設けられている。
【００４７】
このガイドピン３６１はストッパとして機能するもので、アンプ基板３１をＹ方向にスライドさせて挿入したとき、コネクタ３４ｂにガイドピン３６１が突き当たるようになっている。
【００４８】
アンプ基板３１は、ネジ４６によって取付基板４１に取り付けられ、取付基板４１はピン部材４３によってスライダー４４に取り付けられ、スライダー４４には操作レバー４５が取り付けられ、アンプ基板３１、取付基板４１、スライダー４４、操作レバー４５は一体化した構造となっている。また操作レバー４５をＹ方向に押すことにより、この一体化構造部がガイドレール３７，３８に沿ってスライド可能になっている。
【００４９】
図６（ａ），（ｂ）に示すように、スライダー４４の下端をガイドレール３７，３８間に挿入し、操作レバー４５をＹ方向に押すと、アンプ基板３１、取付基板４１、スライダー４４は奥方向にスライドする。そのまま操作レバー４５を押すと、コネクタ３４ｂはガイドピン３６１に突き当たる。
【００５０】
コネクタ３４ｂがガイドピン３６１に突き当たった状態でさらに操作レバー４５を押すと、図６（ｃ）に示すように、スライダー４４はさらに奥方向に移動する。このときアンプ基板３１及び取付基板４１は、ガイドピン３６１に当たってそれ以上は奥に移動できなくなるが、ピン部材４３が傾斜したガイド溝４２に沿って奥方向に移動することで取付基板４１及びアンプ基板３１はガイドピン３６１に沿って上方向（Ｘ）に上昇し、コネクタ３４ｂと３３ｂが結合する。
【００５１】
このときコネクタ３４ｂと３３ｂはガイドピン３６１によって正確に位置決めされるため、確実に結合し接触不良を防止することができる。一方、アンプ基板３１の手前側に位置するコネクタ３３ａとコネクタ３４ａは操作者によって結合される。手前側は手が入りやすいため操作は容易である。
【００５２】
こうして、収納部３０の奥側にあるコネクタ３３ｂと３４ｂは治具４０によって簡単かつ正確に結合することが可能となり、収納部３０の手前側にあるコネクタ３３ａとコネクタ３４ａは操作者によって容易に結合することが可能となる。
【００５３】
尚、アンプ基板３１を収納部３０から取出すときは、最初にコネクタ３４ａとコネクタ３４ｂの結合を外した上で操作レバー４５を手前に引き出せば良い。スライダー４４は、図６（ｃ）とは逆方向に引き出され、アンプ基板３１及び取付基板４１はガイドピン３６１に沿って下降し、コネクタ３３ｂと３４ｂの結合が外れ、そのまま引き出すことができる。
【００５４】
こうして本発明では、２つの検出器モジュールに対して１枚のアンプ基板を共有することができる。また、アンプ基板の奥側に配置されているコネクタの挿抜を正確かつ容易に行なうことができ、製造時やメンテナンス時の作業効率を向上することができる。またアンプ基板３１を縦置きにすることができるため、冷却効率を上げることができる。
【００５５】
また、検出器モジュールからアンプ基板までの経路長が長くなると静電容量が増え回路ノイズを増大するが、本発明ではアンプ基板を円弧上に配置し、かつ検出器モジュールとアンプ基板をフレキジブルフラットケーブルによってできる限り短い距離で結合しているため、静電容量が小さく回路ノイズを抑えることができる。
【００５６】
尚、本発明は、医用のＸ線ＣＴ装置だけでなく、機器類を検査する産業用のＸ線ＣＴ装置や、空港等での手荷物検査用のＸ線ＣＴ装置にも適用することができる。また特許請求の範囲を逸脱しない範囲内で種々の変形が可能である。
【符号の説明】
【００５７】
１０…Ｘ線ＣＴ装置
１１…架台
１１１…開口部
１１２…前面部（手前側）
１３…Ｘ線管
１４…放射線検出器
１６…ＤＡＳ（データ収集部）
１４１ａ，１４１ｂ…検出器モジュール
３０…収納部
３１…アンプ基板
３２ａ，３２ｂ…フレキジブルフラットケーブル
３３ａ，３４ａ…コネクタ
３３ｂ，３４ｂ…コネクタ
３５，３６…上下プレート
３６１…ガイドピン
３７，３８…ガイドレール
４０…治具（ガイド手段）
４１…取付基板
４２…傾斜ガイド溝
４３…ピン部材
４４…スライダー
４５…操作レバー
【図１】
0005596087.tif 000002
【図２】
0005596087.tif 000003
【図３】
0005596087.tif 000004
【図４】
0005596087.tif 000005
【図５】
0005596087.tif 000006
【図６】
0005596087.tif 000007